(57)【要約】【課題】ゴルフショットの練習内容に応じて容易に傾斜の向きを変更できるとともに、ミスショットの際の衝撃を緩和できるゴルフ練習用傾斜台を提供する。【解決手段】  本願に開示するゴルフ練習用傾斜台は、芯材１０と、袋状のカバー部材２０を備える。芯材１０は、底面１１、及び天面１２を有する。天面１２は、底面１１に対して傾斜している。カバー部材２０は、人工芝マット３０を保持する保持部４１を有し、芯材１０を収容する。本願に開示するゴルフ練習用傾斜台は、「爪先上がり」、「爪先下がり」、「左足上がり」、「左足下がり」等の様々な状況におけるショットを練習するのに好適である。【選択図】図１
2020110281.tif 000002
【特許請求の範囲】
【請求項１】
底面（１１）、及び前記底面（１１）に対して傾斜している天面（１２）を有する芯材（１０）と、
人工芝マットを保持する保持部（４１）を有し、前記芯材（１０）を収容する袋状のカバー部材（２０）
を備えるゴルフ練習用傾斜台。
【請求項２】
前記保持部（４１）は、面ファスナにおけるフック部及びループ部の少なくとも一方を含み、前記カバー部材（２０）の外側面に縫い付けられている、請求項１に記載のゴルフ練習用傾斜台。
【請求項３】
前記芯材（１０）における前記天面（１２）は、前記底面（１１）に対して一様に傾斜しており、
前記芯材（１０）は、方形厚板状であり、小厚端部（１３）と、前記小厚端部（１３）の対向端部であり、前記小厚端部（１３）より厚みが大きい大厚端部（１４）を有し、
前記カバー部材（２０）は、前記大厚端部（１４）を覆う大厚端部覆部（２４）を有し、
前記大厚端部覆部（２４）は、前記芯材（１０）が通過可能である開口部（２０ａ）を開閉可能に形成されている、請求項１又は請求項２に記載のゴルフ練習用傾斜台。
【請求項４】
前記カバー部材（２０）は、前記芯材（１０）における前記底面（１１）を覆う底覆部（２１）と、前記芯材（１０）における前記天面（１２）を覆う天覆部（２２）を有し、
前記大厚端部覆部（２４）は、前記底覆部（２１）から延設される第１フラップ（２６）と、前記第１フラップ（２６）と重合可能に前記天覆部（２２）から延設される第２フラップ（２７）を含む、請求項３に記載のゴルフ練習用傾斜台。
【請求項５】
前記カバー部材（２０）は、外側面に少なくとも１つの把手（２８）を有する、請求項１〜請求項４のいずれか１項に記載のゴルフ練習用傾斜台。
【請求項６】
前記芯材（１０）は、発泡ポリエチレン、発泡ポリスチレン、及び紙類から選択される少なくとも１種を含む、請求項１〜請求項５のいずれか１項に記載のゴルフ練習用傾斜台。
【発明の詳細な説明】
【技術分野】
【０００１】
本発明は、ゴルフ練習用傾斜台に関し、特に「爪先上がり」、「爪先下がり」、「左足上がり」、「左足下がり」等の様々な状況におけるショットを練習するのに好適なゴルフ練習用傾斜台に関するものである。
【背景技術】
【０００２】
ゴルフショットを練習するための傾斜台として、特許文献１には、上面が傾斜している基板の上に、人工芝マットを配設して成る傾斜台が記載されている。特許文献１に記載の傾斜台は、ボールを打ち放つ方向が一定であるゴルフ練習場に設置されるものであり、「爪先上がり」、「爪先下がり」、「左足上がり」、「左足下がり」等の様々な状況におけるショットを練習する際に、練習内容に応じて傾斜の向きを変えるために、傾斜台の設置場所において傾斜台を回転するようにしている。
【先行技術文献】
【特許文献】
【０００３】
【特許文献１】特開２００４−３３２４３号公報
【発明の概要】
【発明が解決しようとする課題】
【０００４】
しかしながら、特許文献１に記載の傾斜台においては、練習者が上に乗るとともに、練習者から一定の距離を空けてゴルフボールを置けるだけのサイズが傾斜台に要求される。従って、例えば一人の担当者が手で傾斜台を回転する作業を行うことには困難を伴うことも予想される。また、傾斜面におけるショットを練習する際には、ボールの手前の芝面をクラブで打ってしまう「ダフリ」等のミスショットが起こりやすく、ミスショットの衝撃によって、腕やクラブを傷めてしまうことも懸念される。
【０００５】
本発明は上記課題に鑑みてなされたものであり、その目的は、ゴルフショットの練習内容に応じて容易に傾斜の向きを変更できるとともに、ミスショットの際の衝撃を緩和できるゴルフ練習用傾斜台を提供することにある。
【課題を解決するための手段】
【０００６】
本願に開示するゴルフ練習用傾斜台は、芯材（１０）と、袋状のカバー部材（２０）を備える。前記芯材（１０）は、底面（１１）、及び天面（１２）を有する。前記天面（１２）は、前記底面（１１）に対して傾斜している。前記カバー部材（２０）は、人工芝マットを保持する保持部（４１）を有し、前記芯材（１０）を収容する。
【０００７】
本願に開示するゴルフ練習用傾斜台において、前記保持部（４１）は、面ファスナにおけるフック部及びループ部の少なくとも一方を含み、前記カバー部材（２０）の外側面に縫い付けられている。
【０００８】
また、本願に開示するゴルフ練習用傾斜台において、前記芯材（１０）における前記天面（１２）は、前記底面（１１）に対して一様に傾斜している。前記芯材（１０）は、方形厚板状であり、小厚端部（１３）と、大厚端部（１４）を有する。前記大厚端部（１４）は、前記小厚端部（１３）の対向端部であり、前記小厚端部（１３）より厚みが大きい。前記カバー部材（２０）は、大厚端部覆部（２４）を有する。前記大厚端部覆部（２４）は、前記大厚端部（１４）を覆う。また、前記大厚端部覆部（２４）は、開口部（２０ａ）を開閉可能に形成されており、前記開口部（２０ａ）は、前記芯材（１０）が通過可能である。
【０００９】
また、本願に開示するゴルフ練習用傾斜台において、前記カバー部材（２０）は、底覆部（２１）と、天覆部（２２）を有する。前記底覆部（２１）は、前記芯材（１０）における前記底面（１１）を覆う。前記天覆部（２２）は、前記芯材（１０）における前記天面（１２）を覆う。前記大厚端部覆部（２４）は、第１フラップ（２６）と、第２フラップ（２７）を含む。前記第１フラップ（２６）は、前記底覆部（２１）から延設される。前記第２フラップ（２７）は、前記第１フラップ（２６）と重合可能に前記天覆部（２２）から延設される。
【００１０】
また、本願に開示するゴルフ練習用傾斜台において、前記カバー部材（２０）は、外側面に少なくとも１つの把手（２８）を有する。
【００１１】
また、本願に開示するゴルフ練習用傾斜台において、前記芯材（１０）は、発泡ポリエチレン、発泡ポリスチレン、及び紙類から選択される少なくとも１種を含む。
【発明の効果】
【００１２】
本発明のゴルフ練習用傾斜台によれば、ゴルフショットの練習内容に応じて容易に傾斜の向きを変更できるとともに、ミスショットの際の衝撃を緩和できる。
【図面の簡単な説明】
【００１３】
【図１】本発明の実施形態に係るゴルフ練習用傾斜台を示す分解斜視図である。
【図２】組立後のゴルフ練習用傾斜台を示す斜視図である。
【図３】組立後のゴルフ練習用傾斜台の底部を示す斜視図である。
【発明を実施するための形態】
【００１４】
以下、本発明の実施形態に係るゴルフ練習用傾斜台を図面に基づいて詳しく説明する。なお、以下に説明する実施形態は、本発明を実施するのに好ましい具体例であるから、技術的に種々の限定がなされているが、本発明は、以下の説明において特に発明を限定する旨が明記されていない限り、この実施形態に限定されるものではない。
【００１５】
〈実施形態〉
図１〜図３を参照して、本発明の実施形態に係るゴルフ練習用傾斜台を説明する。図１は、実施形態に係るゴルフ練習用傾斜台を示す分解斜視図である。図２は、組立後のゴルフ練習用傾斜台を示す斜視図である。図３は、実施形態に係るゴルフ練習用傾斜台の底部を示す斜視図である。
【００１６】
図１に示すように、本実施形態に係るゴルフ練習用傾斜台は、芯材１０と、袋状のカバー部材２０を備える。芯材１０は、底面１１、及び天面１２を有する。天面１２は、底面１１に対して傾斜している。実施形態においては、芯材１０は、方形厚板状であり、天面１２は、底面１１に対して、一定の勾配で、一様に傾斜している。天面１２の勾配は、特に限定されないが、例えば５％〜８％である。
【００１７】
また、芯材１０は、発泡ポリエチレン、発泡ポリスチレン、及び紙類から選択される少なくとも１種を含む。例えば、芯材１０は、硬度と重量のバランスを考慮すると、３０〜６０倍発泡の発泡ポリスチレンから形成されることが好ましく、特に５０倍発泡の発泡ポリスチレンから形成されることが好ましい。また、紙類であれば、段ボール紙を束ねたものを芯材１０の材料として好適に使用できる。
【００１８】
また、必須ではないが、芯材１０の天面１２の上に、緩衝シート５０を設置することも好ましい。緩衝シート５０を設置することによって、芯材１０を外部からの衝撃に対して保護できるとともに、ミスショットの際に練習者が受ける衝撃を緩和できる。緩衝シート５０は、例えば発泡ポリエチレンから形成することが好ましい。なお、緩衝シート５０は、例えば粘着剤を使用し、芯材１０の天面１２に貼設し、芯材１０と一体化し、芯材１０の一部分とすることもできる。また、緩衝シート５０は、カバー部材２０に貼設し、カバー部材２０と一体化し、カバー部材２０の一部分とすることもできる。もちろん、緩衝シート５０は、芯材１０、カバー部材２０から独立した一部材とすることもできる。
【００１９】
また、芯材１０は、小厚端部１３と、大厚端部１４を更に有する。大厚端部１４は、小厚端部１３の対向端部であり、小厚端部１３より厚みが大きい。大厚端部１４の厚みと小厚端部１３の厚みとの差異は、芯材１０の一辺の長さと、底面１１に対する天面１２の勾配に応じて決まる。
【００２０】
また、芯材１０は、一対の横端部１５を更に有する。一対の横端部１５は、小厚端部１３及び大厚端部１４に交差する方向、実施形態においては小厚端部１３及び大厚端部１４に直交する方向に延びている。また、実施形態においては、一対の横端部１５の形状は同一である。
【００２１】
次に、図１、図２を参照して、カバー部材２０を説明する。図１、図２に示すように、カバー部材２０は、底覆部２１、天覆部２２、小厚端部覆部２３、大厚端部覆部２４、一対の横端部覆部２５を有する。底覆部２１は、芯材１０における底面１１を覆う。天覆部２２は、芯材１０における天面１２を覆う。小厚端部覆部２３は、芯材１０における小厚端部１３を覆う。大厚端部覆部２４は、芯材１０における大厚端部１４を覆う。一対の横端部覆部２５は、芯材１０における一対の横端部１５を覆う。カバー部材２０の形状は、芯材１０の外形と略相似形である。
【００２２】
また、カバー部材２０は、人工芝マット３０を保持する保持部４１を有する。保持部４１は、実施形態においては、面ファスナにおけるフック部及びループ部の少なくとも一方を含み、天覆部２２におけるカバー部材２０の外側面に縫い付けられる。
【００２３】
また、実施形態においては、カバー部材２０は、樹脂シートを材料として形成される。樹脂シートとしては、例えばテント生地を好適に使用でき、特に、ポリエステルから形成される基布に塩化ビニルから形成されるフィルムをラミネートして形成されるテント生地を好適に使用できる。
【００２４】
人工芝マット３０は、カバー部材２０における天覆部２２と略同一の形状を有しており、平面状の基材と、無数の糸状突起を含む。糸状突起は、基材における上側面に突設されている。また、人工芝マット３０における基材の下側面には、面ファスナにおけるループ部及びフック部の少なくとも一方が配設される。例えば、保持部４１が面ファスナのフック部から形成されるとき、人工芝マット３０における基材の下側面には、面ファスナのループ部が配設される。人工芝マット３０における基材の下側面は、全体が面ファスナのループ部であってもよいし、一部分が面ファスナのループ部であってもよい。また、保持部４１が面ファスナのループ部から形成されるとき、人工芝マット３０における基材の下側面には、面ファスナのフック部が配設される。
【００２５】
以上、図１、図２を参照して説明したように、実施形態に係るゴルフ練習用傾斜台によれば、袋状のカバー部材２０が、人工芝マット３０を保持する保持部４１を有しており、芯材１０はカバー部材２０に収容されている。従って、カバー部材２０によって芯材１０を保護することができ、比較的に硬度が低い材料であっても、様々な材料を使用し、芯材１０を形成することが可能となる。すなわち、比較的に硬度が低く、外部からの衝撃によって変形が生じ得る材料であっても、ゴルフ練習用の台として好適なサイズ、重量に形成することが容易な材料であれば、当該材料を使用し、ゴルフ練習用傾斜台を作製することが可能となる。
【００２６】
すなわち、様々な材料を使用できることから、サイズ、重量、弾力性等の諸条件が良好なゴルフ練習用傾斜台を作製することが容易となる。従って、一人の担当者が手で移動したり、回転させたりすることができる一方で、強風等で勝手に移動してしまわないように、ゴルフ練習用傾斜台のサイズ、重量を調整することも容易となる。また、芯材１０が袋状のカバー部材２０に収容されることから、取り扱いを容易とするために、把手を付ける等、表面状態を整えることも容易となる。以上より、ゴルフ練習用傾斜台における傾斜の向きを練習内容に応じて変更することも容易となる。
【００２７】
また、人工芝マット３０は、芯材１０に直接に取り付けられるのではなく、芯材１０を収納するカバー部材２０に取り付けられる。従って、カバー部材２０が緩衝材として機能し、「ダフリ」等のミスショットの際に練習者が受ける衝撃を緩和することができる。また、緩衝シート５０を芯材１０の天面１２の上に設置する際にも、芯材１０と共に緩衝シート５０をカバー部材２０の内部に収容するだけで、緩衝シート５０を天面１２の上で固定することができ、容易にミスショットの際に練習者が受ける衝撃を緩和できる。
【００２８】
更に、緩衝シート５０を用いなくとも、芯材１０の天面１２とカバー部材２０の天覆部２２との間に空気層を形成するように芯材１０をカバー部材２０に収納すれば、ミスショットの際に練習者が受ける衝撃を有効に緩和できる。例えば、ミスショットの際にクラブが当たるような位置において、芯材１０の天面１２に適宜深さの凹部を形成し、天面１２の残りの部分をカバー部材２０と気密に接するようにすれば、衝撃緩和に有効な空気層を形成できる。
【００２９】
また、図１、図２を参照して説明したように、実施形態に係るゴルフ練習用傾斜台によれば、保持部４１が、面ファスナにおけるフック部及びループ部の少なくとも一方を含み、天覆部２２におけるカバー部材２０の外側面に縫い付けられている。従って、十分な強度で保持部４１をゴルフ練習用傾斜台に設けることができる。例えば、芯材１０の天面１２に、粘着剤によってフック部を貼り付けるだけでは、人工芝マット３０の付け外しをするときにフック部が剥がれてしまう不具合が予想される。実施形態に係る練習用傾斜台によれば、芯材１０がカバー部材２０に収納されていることから、保持部４１をカバー部材２０に縫い付けることが可能となり、十分な強度で保持部４１をゴルフ練習用傾斜台に設けることができる。
【００３０】
次に、図１、図２を参照して、カバー部材２０を更に詳細に説明する。実施形態に係るゴルフ練習用傾斜台においては、大厚端部覆部２４は、開口部２０ａを開閉可能に形成されている。開口部２０ａは、芯材１０が通過可能である。実施形態においては、大厚端部覆部２４は、第１フラップ２６、第２フラップ２７、及び一対の第３フラップ２９を含む。第１フラップ２６は、細長い方形状であり、底覆部２１から延設されている。第２フラップ２７も、細長い方形状であり、第１フラップ２６と重合可能に天覆部２２から延設されている。第１フラップ２６、第２フラップ２７は、第１締結部２６ａ、第２締結部２７ａを各々有する。第１締結部２６ａ、第２締結部２７ａは、例えば一組の面ファスナであり、一方がフック部、他方がループ部である。
【００３１】
すなわち、実施形態においては、第１フラップ２６、第２フラップ２７は、ほぼ全体が互いに重なるように形成された一対の外フラップとして形成される。また、一対の第３フラップ２９は、一対の内フラップとして形成される。
【００３２】
以上、図１、図２を参照して説明したように、実施形態に係るゴルフ練習用傾斜台によれば、大厚端部覆部２４が、第１フラップ２６、第２フラップ２７から形成され、第１フラップ２６、第２フラップ２７は、重合可能に設けられている。従って、例えば１枚の樹脂シートではなく、２枚の樹脂シートによって、開口部２０ａにおいて芯材１０の大厚端部２４を覆うことができ、より確実に芯材１０をカバー部材２０の内部に保持できる。また、第１フラップ２６と第２フラップ２７に、第１締結部２６ａ、第２締結部２７ａを取り付けるスペースを確保することも容易となり、第１フラップ２６と第２フラップ２７を十分な強度で締結することができ、更により確実に芯材１０をカバー部材２０の内部に保持できる。
【００３３】
次に、図３を参照して、カバー部材２０を更に詳細に説明する。実施形態に係るゴルフ練習用傾斜台においては、カバー部材２０は、外側面に少なくとも１つの把手２８を有する。図示例のゴルフ練習用傾斜台においては、把手２８は、一対の横端部覆部２５と、底覆部２１に１つずつ設けられている。把手２８は、カバー部材２０に縫い付けられることによって、カバー部材２０に設けられることが好ましい。
【００３４】
以上、図１、図２を参照して説明したように、実施形態に係るゴルフ練習用傾斜台によれば、少なくとも１つの把手２８がカバー部材２０の外側面に設けられている。従って、ゴルフ練習用傾斜台の取り扱いが更に容易となり、ゴルフショットの練習内容に応じて傾斜の向きを更に容易に変更できる。また、把手２８が、カバー部材２０に縫い付けられることによって、ある程度の重量があるゴルフ練習用傾斜台を取り扱うのに十分な強度で把手２８をゴルフ練習用傾斜台に設けることができる。
【００３５】
以上、図面を参照しながら本発明の実施形態を説明した。但し、本発明は、上記の実施形態に限られるものではなく、その要旨を逸脱しない範囲で種々の態様において実施することが可能である。
【符号の説明】
【００３６】
１０…芯材
１１…底面
１２…天面
１３…小厚端部
１４…大厚端部
１５…横端部
２０…カバー部材
２０ａ…開口部
２１…底覆部
２２…天覆部
２３…小厚端部覆部
２４…大厚端部覆部
２５…横端部覆部
２６…第１フラップ
２６ａ…第１締結部
２７…第２フラップ
２７ａ…第２締結部
２８…把手
３０…人工芝マット
４１…保持部
【図１】
2020110281.tif 000003
【図２】
2020110281.tif 000004
【図３】
2020110281.tif 000005